(57)【要約】【課題】遊技の進行等に応じて遊技領域の左側及び右側を使い分ける際の遊技球の振り分けを迅速に行い、遊技性を向上させたパチンコ遊技機。【解決手段】遊技盤１０の盤面１２中央上部にガイド５０を回動可能に設け、大当たりの権利発生前は遊技球を左側遊技領域２０Ｌへ案内する左下がり傾斜とし、権利発生中は右側遊技領域２０Ｒへ案内する右下がり傾斜とする。これにより、大当たりの権利発生後に右打ちを行う遊技仕様等でも、遊技者が手動で右打ちに切り替えることなく発生した大当たりの権利を獲得することができて、遊技性が向上する。【選択図】　　　　図１
2004121805.tif 000002
【特許請求の範囲】
【請求項１】
パチンコ盤面の中央上部に設けられ遊技球を盤面左側へ案内する第１位置と盤面右側へ案内する第２位置を取り得るガイドと、
このガイドを前記第１位置又は前記第２位置に駆動する駆動手段と、
を有することを特徴とするパチンコ遊技機。
【請求項２】
パチンコ盤面の中央上部に設けられ遊技球を盤面左側へ案内する第１位置と盤面右側へ案内する第２位置を取り得るガイドと、
このガイドを大当たりの権利発生前は前記第１位置とし権利発生後は第２位置とする駆動手段と、
を有することを特徴とするパチンコ遊技機。
【請求項３】
前記パチンコ盤面の中央上部に設けられ遊技球を盤面左側へ案内し、前記ガイドが前記第１位置を取っている場合に前記ガイドに前記遊技球を受け渡す上スロープと、
前記上スロープの下方に設けられ、前記ガイドが第２位置を取っている場合に前記ガイドから遊技球を受け継いで前記遊技球を盤面右側へ案内する下スロープと、
を備えることを特徴とする請求項１又は請求項２記載のパチンコ遊技機。
【請求項４】
第３種始動口が前記下スロープの途中に対応するパチンコ盤面上に設けられていることを特徴とする請求項３記載のパチンコ遊技機。
【請求項５】
前記第３種始動口は、
前記パチンコ盤面の奥行き方向を一軸線として回転し、遊技球が通過可能な孔が前記軸線方向に沿って設けられた回転体と、
前記孔が所定位置に来た場合に、前記孔から前記遊技球を受け取る受取部と、
から成ることを特徴とする請求項４記載のパチンコ遊技機。
【請求項６】
前記下スロープの途中には、前記第３種始動口と対向した位置で遊技球を一時的に貯留する貯留部が設けられている、
ことを特徴とする請求項５記載のパチンコ遊技機。
【請求項７】
図柄表示装置を備えるセンター役物がパチンコ盤面の中央上部に設けられ、
前記ガイドは、前記センター役物に一体的に設けられている
ことを特徴とする請求項１乃至請求項６の何れか１項記載のパチンコ遊技機。
【請求項８】
前記第３種始動口は、前記センター役物に一体的に設けられている
ことを特徴とする請求項４乃至請求項７の何れか１項記載のパチンコ遊技機。
【請求項９】
前記第１位置を取っているガイドから遊技球を受け継ぎ可能とされ、前記ガイドから遊技球を受け取った場合に、遊技者に有利な状態を発生させるためのスタートスイッチの上方に前記遊技球を案内するワープ路を備えたことを特徴とする請求項１乃至請求項８の何れか１項に記載のパチンコ遊技機。
【発明の詳細な説明】
【０００１】
【発明の属する技術分野】
本発明は、パチンコ遊技機に係り、詳しくは、遊技盤面に設けられた遊技領域の左側及び右側を遊技の進行等に応じて使い分ける遊技仕様を備えたパチンコ遊技機に関する。
【０００２】
【従来の技術】
第３種と呼ばれるパチンコ遊技機では、通常の遊技時は「大当たりの権利」を発生させるために、遊技盤面の中央下部側に配置されたスタートスイッチ、普通電動役物内の権利を発生させるポケットを狙って、遊技球が遊技領域の左側を流下するよう発射力を調整して遊技する。また大当たりの権利が発生した場合は、発射力を最大とする「右打ち」と呼ばれる操作により遊技盤面の右側に設けられている始動口（第３種始動口）への入賞を狙う。さらに始動口への入賞により「大当たり」となった際も、始動口下方の大入賞口へ入賞させるため、右打ちを継続させて遊技領域の右側を使い遊技する。
【０００３】
この第３種パチンコ遊技機のように、遊技領域の左側と右側を遊技の進行に応じて使い分ける遊技仕様では、遊技をスムーズに進めるために、遊技の進行状況に応じて遊技者が的確に発射力を調整する必要がある。
【０００４】
ただし、遊技を熟知しない初心者等は、獲得した大当たりの権利を失う恐れがあるため、大当たりの権利発生時に右打ちすることを報知して初心者等の手助けをするものがある（例えば、特許文献１参照）。
【０００５】
また、右打ちされて跳ね返った遊技球を確実に始動口及び大入賞口側へ案内するため、跳ね返った遊技球を始動口及び大入賞口側へ導く案内機構を設けているものもある（例えば、特許文献２参照）。
【０００６】
【特許文献１】
特開平９−２８５６３１号公報（第３頁、第１図）
【特許文献２】
特開平１０−１５５９７６号公報（第５−７頁、第２−３、６−１０図）
【０００７】
【発明が解決しようとする課題】
しかしながら、上述した従来例は、何れも、右打ちするために遊技者が発射ハンドルを操作する必要がある。そのため、操作のタイミングが遅れると、遊技者にとって有利な遊技状況が失われる場合がある。
【０００８】
また、第３種のパチンコ遊技機に限らず、遊技領域の右側で特定の遊技を行う仕様の機種は同様であり、特にその特定遊技が短時間で終了する場合は、右打ちするハンドル操作の僅かな遅れがチャンスを逃す要因となる。
【０００９】
本発明は上記事実を考慮して、遊技の進行等に応じて遊技領域の左側及び右側を使い分ける際の遊技球の振り分けを迅速に行うことにより、遊技性を向上することができるパチンコ遊技機を提供することを課題とする。
【００１０】
【課題を解決するための手段】
上記目的を達成するために請求項１に記載の発明は、パチンコ盤面の中央上部に設けられ遊技球を盤面左側へ案内する第１位置と盤面右側へ案内する第２位置を取り得るガイドと、このガイドを前記第１位置又は前記第２位置に駆動する駆動手段と、を有することを特徴としている。
【００１１】
請求項１に記載の発明では、パチンコ盤面の中央上部に設けられたガイドが駆動手段に駆動されて、遊技球を盤面左側へ案内する第１位置と盤面右側へ案内する第２位置とに駆動される。パチンコ盤面の中央上部に発射された遊技球は、このガイドに誘導されて、盤面左側又は盤面右側へ自動的に案内される。そのため、遊技者が手動で右打ちに切り替えなくても、また、右打ちすることを知らなくても、遊技球が盤面の左右に迅速に振り分けられる。これにより、遊技の進行等に応じて盤面の左側及び右側を使い分ける遊技仕様を備えた機種では、遊技者にとって有利となる遊技状況や盤面右側で行われる特定遊技等を確実に獲得することができる。したがって、パチンコ遊技機の遊技性が向上する。
【００１２】
請求項２に記載の発明は、パチンコ盤面の中央上部に設けられ遊技球を盤面左側へ案内する第１位置と盤面右側へ案内する第２位置を取り得るガイドと、このガイドを大当たりの権利発生前は前記第１位置とし権利発生後は第２位置とする駆動手段と、を有することを特徴としている。
【００１３】
請求項２に記載の発明では、パチンコ盤面の中央上部に設けられたガイドは、駆動手段により、大当たりの権利発生前は遊技球を盤面左側へ案内する第１位置に駆動され、権利発生後は盤面右側へ案内する第２位置に駆動される。そのため、大当たりの権利発生前は、パチンコ盤面の中央上部に発射された遊技球が第１位置とされたガイドに誘導されて、盤面左側に案内される。権利発生後は、第２位置とされたガイドに誘導されて、盤面右側へ自動的に案内される。なお、このガイドを第２位置とする場合は、権利発生中及び大当たり終了までの全期間に亘って継続的に配置する、あるいは、例えば、特定の遊技が発生する期間は一時的に第１位置に戻すなどの設定を設けて断続的に配置するようにもできる。
【００１４】
これにより、例えば、第３種パチンコ遊技機のように大当たりの権利発生後に右打ちを行う遊技仕様でも、遊技者が手動で右打ちに切り替えることなく、遊技球が迅速に盤面の右側に振り分けられる。したがって、発生した大当たりの権利を失うことがなくなり、パチンコ遊技機の遊技性を向上することができる。
【００１５】
請求項３に記載の発明は、請求項１又は請求項２記載のパチンコ遊技機において、前記パチンコ盤面の中央上部に設けられ遊技球を盤面左側へ案内し、前記ガイドが前記第１位置を取っている場合に前記ガイドに前記遊技球を受け渡す上スロープと、前記上スロープの下方に設けられ、前記ガイドが第２位置を取っている場合に前記ガイドから遊技球を受け継いで前記遊技球を盤面右側へ案内する下スロープと、を備えることを特徴としている。
【００１６】
請求項３に記載の発明では、上スロープの上方に発射された遊技球がこの上スロープに誘導されて盤面左側に案内される。さらに、ガイドが第１位置を取っている場合には、遊技球は上スロープからこのガイドに受け渡される。これにより、遊技球は盤面左側にさらに案内される。また、この上スロープの下方には、下スロープが設けられているため、ガイドが第２位置を取っている場合には、ガイドに誘導された遊技球をこのガイドから受け継いで盤面右側にさらに案内する。そのため、遊技者が手動で右打ちに切り替えなくても、また、右打ちすることを知らなくても、遊技球が盤面の左右に迅速に振り分けられる。これにより、遊技の進行等に応じて盤面の左側及び右側を使い分ける遊技仕様を備えた機種では、遊技者にとって有利となる遊技状況や盤面右側で行われる特定遊技等を確実に獲得することができる。したがって、パチンコ遊技機の遊技性が向上する。
【００１７】
請求項４に記載の発明は、請求項３記載のパチンコ遊技機において、第３種始動口が前記下スロープの途中に対応するパチンコ盤面上に設けられていることを特徴とする。
【００１８】
請求項４に記載の発明では、例えば、盤面右側に大入賞口を設けている遊技形態では、第３種始動口に遊技球を入賞させるとこの大入賞口が所定時間開放される。この第３種始動口が下スロープの途中に対応するパチンコ盤面に設けられていることから、遊技球が下スロープによって誘導されている際に第３種始動口入賞となって大入賞口を開放できるか否かという遊技状態を演出することができ、遊技に対する期待感を遊技者に強く与えることができる。なお、この第３種始動口は、回転体を有するものであっても回転体を有しないものであってもよい。
【００１９】
請求項５に記載の発明は、請求項４記載のパチンコ遊技機において、前記第３種始動口は、前記パチンコ盤面の奥行き方向を一軸線として回転し、遊技球が通過可能な孔が前記軸線方向に沿って設けられた回転体と、前記孔が所定位置に来た場合に、前記孔から前記遊技球を受け取る受取部と、から成ることを特徴としている。
【００２０】
請求項５に記載の発明では、下スロープが遊技球を誘導している際に、この遊技球が下スロープの途中で回転体の孔を通過すると、受取部がこの孔から遊技球を受け取り、第３種始動口入賞とされる。ここで、この孔は回転体に設けられているので、パチンコ盤面の奥行き方向を一軸線として回転する。このため、下スロープが遊技球を誘導するタイミングによって遊技球がこの孔を通過するか否かが決定される。これにより、遊技球が下スロープによって誘導されている際に第３種始動口入賞となって大入賞口を開放できるか否かという遊技状態を演出することができ、遊技に対する期待感を遊技者により一層強く与えることができる。
【００２１】
請求項６に記載の発明は、請求項５記載のパチンコ遊技機において、前記下スロープの途中には、前記第３種始動口と対向した位置で遊技球を一時的に貯留する貯留部が設けられている、ことを特徴としている。
【００２２】
請求項６に記載の発明では、貯留部により遊技球が第３種始動口と対向した位置で貯留される。回転体に設けられた孔が所定位置に来ると、この遊技球は回転体の孔を通過して第３種始動口入賞とされる。ここで、遊技球が第３種始動口に入賞してから回転体の孔が再びこの所定位置に来るまでに遊技球が貯留部に貯留されていれば、第３種始動口に遊技球が入賞してから再び入賞するまでの時間に損失なく、かつ連続して第３種始動口に入賞させることができ、これに伴って大入賞口が開放される。これにより、遊技に対する期待感を遊技者により一層強く与えることができる。
【００２３】
請求項７に記載の発明は、請求項１乃至請求項６の何れか１項に記載のパチンコ遊技機において、図柄表示装置を備えるセンター役物がパチンコ盤面の中央上部に設けられ、前記ガイドは、前記センター役物に一体的に設けられていることを特徴とする。
【００２４】
請求項７に記載の発明では、ガイドをパチンコ盤面に設ける際には、このガイドを一体的に設けたセンター役物をパチンコ盤面に設けるだけでよいため、このガイドの組付けが容易になる。
【００２５】
請求項８に記載の発明は、請求項４乃至請求項７の何れか１項に記載のパチンコ遊技機において、第３種始動口は、前記センター役物に一体的に設けられていることを特徴とする。
【００２６】
請求項８に記載の発明では、第３種始動口をパチンコ盤面に設ける際には、この第３種始動口を一体的に設けたセンター役物をパチンコ盤面に設けるだけでよいため、この第３種始動口の組付けが容易になると共に、従来において第３種始動口を設けていた部位が有効活用できるようになることから、パチンコ盤面の限られた遊技領域において、例えば従来より大きいセンター役物を配置することができる。
【００２７】
請求項９に記載の発明は、請求項１乃至請求項８の何れか１項に記載のパチンコ遊技機において、前記第１位置を取っているガイドから遊技球を受け継ぎ可能とされ、前記ガイドから遊技球を受け取った場合に、遊技者に有利な状態を発生させるためのスタートスイッチの上方に前記遊技球を案内するワープ路を備えたことを特徴としている。
【００２８】
請求項９に記載の発明では、ガイドからワープ路へ遊技球が受け継がれると、この遊技球はスタートスイッチの上方に案内される。これにより、遊技球がスタートスイッチへ入賞する確率が高くなり、パチンコ遊技機の遊技性がより一層向上する。
【００２９】
【発明の実施の形態】
以下、図面を参照して本発明の第１及び第２の実施の形態を説明する。なお、第１及び第２の実施の形態では、第３種のパチンコ遊技機に搭載される遊技盤を例に説明する。また機種としては、打球発射装置を遊技盤の左側下方に配置して遊技球を上方に発射するタイプである。
（第１の実施の形態）
図１には、本発明の第１の実施の形態に係る遊技盤１０が示されており、図２には、遊技盤１０に設けられた球振分機構４８を遊技盤１０の裏面側から見た概略構成が示されている。
【００３０】
遊技盤１０は、装飾画（図示省略）を印刷した樹脂製シート状のセルが基板であるベニヤ板に貼着されており、そのセルの遊技者に面する表面が図１に示される盤面１２となっている。
【００３１】
盤面１２の外周端部付近には、リブ状の外バンド１４と内バンド１６、レール飾り１８が取り付けられており、これらの外バンド１４及び内バンド１６とレール飾り１８とによって囲まれた領域が、略円形状の遊技領域２０とされている。
【００３２】
遊技領域２０のほぼ中央には、センター役物２２が配置されている。センター役物２２には、図柄表示装置としての液晶ディスプレイ又はＣＲＴディスプレイが備えられており、そのディスプレイ画面２４に図柄抽選等のアニメーションが表示される。
【００３３】
センター役物２２の下方には、遊技者に有利な状態（大当たり）を発生させるためのスタートスイッチ２６が配置されており、スタートスイッチ２６下方の遊技領域２０下端部付近には、大当たりの権利を発生させるポケット２８を設けた普通電動役物３０が配設されている。またセンター役物２２の右側には、第３種始動口３２が配置され、第３種始動口３２の下方には、開閉扉３４の開放により開口する大入賞口３６を備えた特別電動役物３８が配設されている。
【００３４】
さらに、センター役物２２の左側の上部及び下部と、右側の上部とには、それぞれ風車４０が配置されており、遊技領域２０の左右側端部にはサイド飾り４２Ｌ、４２Ｒが取り付けられ、遊技領域２０の最下位置にアウト口４４が配置されている。
【００３５】
また、本実施の形態では、天釘４６を上下垂直方向に通る中心線ＳＬ上に、センター役物２２、スタートスイッチ２６、ポケット２８、及びアウト口４４の左右方向中央部が配置され、センター役物２２の上部に球振分機構４８が設けられている。
【００３６】
以下、その球振分機構４８について詳細に説明する。なお、ここでの遊技領域２０については、中心線ＳＬを境とした左側を左側遊技領域２０Ｌ、右側を右側遊技領域２０Ｒと呼んで区別する。
【００３７】
球振分機構４８は、遊技盤１０の盤面１２上に配置されるガイド５０と、遊技盤１０の裏面側に配置されてガイド５０を駆動するソレノイド５１とを備えている（図２参照）。
【００３８】
ガイド５０は、センター役物２２に一体的に設けられている。このガイド５０は、図示のように左右方向が長手方向とされ、盤面奥行き方向（図１の紙面直角方向）が幅方向とされて、長手方向略中央部の下面に凸状部５２が形成されている。凸状部５２の裏面には、図２に示されるように、遊技盤１０の裏面側へ突出する支持軸５４が一体的に設けられている。この支持軸５４は、センター役物２２上部の中心線ＳＬ上に形成された孔部（図示省略）に挿入されて軸心が盤面奥行き方向に配置されている。
【００３９】
これにより、ガイド５０はセンター役物２２の上部において、正面から見て時計方向（矢印Ｒ方向）又は反時計方向（矢印Ｌ方向）へ回動可能とされている。また時計方向へ回動した際は、ガイド５０の上面が右側へ下り傾斜するとともに右側先端部が支持軸５４よりも低い位置とされ、反時計方向へ回動した際は、ガイド５０の上面が左側へ下り傾斜するとともに左側先端部が支持軸５４よりも低い位置とされる（図２参照）。
【００４０】
また、ガイド５０の大きさは、奥行き幅方向寸法が、盤面１２とパチンコ遊技機の本体側に設けられているガラス板（図示省略）との間隔よりも少し小さくされている。長手方向の寸法については、図示の取り付け状態で、ガイド５０の右側先端部は、遊技領域２０Ｒの上部に配置された釘によって風車４０付近に形成される誘導路５６の下方まで延出される長さとされ、左側先端部は、左側遊技領域２０Ｌの上部に配置された釘によって形成される略Ｖ字状の誘導路５８の下方まで延出される長さとなっている。
【００４１】
さらにガイド５０の下面には、正面から見て、凸状部５２の少し右側にも凸状部６０が設けられており、この凸状部６０の裏面には、遊技盤１０の裏面側へ突出する駆動軸６２が一体的に設けられている。
【００４２】
一方、ソレノイド５１は、遊技盤１０の裏面側から見るとガイド５０の右側に配置されている。ソレノイド５１は、ソレノイド本体６４が鉄心６６の先端側を下方に向けてセンター役物２２の裏面にネジ止め等により固定されており、鉄心６６の先端部には、ガイド駆動アーム６８の基端部７０が固着されている。ガイド駆動アーム６８は、図示のように略水平な向きで、先端部７２をガイド５０の中央部側に向けて配置されている。このガイド５０の先端部７２には、左右方向を長手方向とした長穴７４が形成されており、長穴７４には、ガイド５０の駆動軸６２がほぼガタの無い状態で挿入されている。
【００４３】
またソレノイド５１は、ソレノイド駆動制御部７６と接続されており、そのソレノイド駆動制御部７６から供給される駆動電力によってＯＮ／ＯＦＦが切り替えられる。さらにソレノイド駆動制御部７６は、パチンコ遊技機のメイン・コントロール部である主制御基板（図示省略）と接続されており、主制御基板から入力される制御信号に基づいてソレノイド５１を駆動制御する構成である。
【００４４】
これにより、図２（Ａ）に示すソレノイド５１の通電時は、ソレノイド本体６４に内蔵されたコイルが電磁石となりその磁力に引き付けられて鉄心６６が上方へ移動する。これに伴い、ガイド駆動アーム６８によってガイド５０の駆動軸６２が上方へ移動され、ガイド５０は支持軸５４を中心に回動し左下がり傾斜（図の裏面視では右下がり傾斜）となる。
【００４５】
また、図２（Ｂ）に示すソレノイド５１の未通電時は、ソレノイド本体６４のコイルによる磁力が消滅して鉄心６６が自重により下方へ移動する。これに伴い、ガイド駆動アーム６８によってガイド５０の駆動軸６２が下方へ移動されて、ガイド５０は支持軸５４を中心に回動し右下がり傾斜（図の裏面視では左下がり傾斜）となる。
【００４６】
次に、第１の実施の形態の作用について説明する。
【００４７】
まず、第１実施の形態の第３種パチンコ遊技機の遊技仕様について説明する。
パチンコ遊技機本体に設けられた図示しない打球発射装置から遊技球７８が上方へ発射されると、遊技球７８は外バンド１４に沿って遊技領域２０に打ち込まれる。遊技球７８が、センター役物２２の下方に配置されたスタートスイッチ２６へ入賞すると、センター役物２２のディスプレイ画面２４に図柄抽選のアニメーション等が表示される。この抽選で、「７７７」等の所定の図柄が揃うと、普通電動役物３０が所定秒数開放する（図１の二点鎖線位置）。この普通電動役物３０の開放中に遊技球７８がポケット２８を通過すると、「大当たりの権利」が発生する。
【００４８】
さらに、大当たりの権利発生後に第３種始動口３２へ入賞させると、「大当たり」となって大入賞口３６が所定回数開放する。これにより、大入賞口３６への入賞球数に応じた所定数の賞球が払い出される。また、抽選図柄の成立条件によっては、ゲーム終了後に図柄確率がアップし次回の大当たりが発生しやすい状態になる。
【００４９】
このような遊技仕様において、本実施の形態の球振分機構４８は、大当たりの権利が発生する前の通常の遊技時は、主制御基板から、通常遊技状態（大当たりの権利発生前）であるとの信号がソレノイド駆動制御部７６へ入力される。この信号を受けて、ソレノイド駆動制御部７６はソレノイド５１へ電力を供給する。これにより、ソレノイド５１が通電・駆動されて（図２（Ａ））、ガイド５０は左下がり傾斜となる（図１の５０Ａ位置）。
【００５０】
したがって、遊技領域２０の上部中央（天釘４６付近）に打ち込まれた遊技球７８がガイド５０上に落下すると、その遊技球７８はガイド５０上を傾斜側に転動して左側遊技領域２０Ｌへ案内される。また、遊技領域２０の上部の釘に当たって右側遊技領域２０Ｒに跳ね返えされた遊技球７８でも、誘導路５６に導かれるものまではガイド５０上に落下して左側遊技領域２０Ｌへ案内される。
【００５１】
また、上述した遊技仕様により、大当たりの権利が発生した場合は、主制御基板から、大当たりの権利が発生したとされる信号がソレノイド駆動制御部７６へ入力される。この信号を受けて、ソレノイド駆動制御部７６はソレノイド５１への電力供給を停止する。これにより、ソレノイド５１が未通電となって駆動解除され（図２（Ｂ））、ガイド５０は右下がり傾斜となる（図１の５０Ｂ位置）。さらに、その後の遊技進行により、第３種始動口３２への入賞による大当たりとなった場合も、大当たりが終了するまではソレノイド５１の駆動解除状態が継続されて、ガイド５０は右下がり傾斜に維持される。
【００５２】
したがって、大当たりの権利発生後から大当たり終了までの間は、遊技領域２０の上部中央に打ち込まれた遊技球７８がガイド５０上に落下すると、その遊技球７８はガイド５０上を傾斜側に転動して右側遊技領域２０Ｒへ案内される。また、遊技領域２０の上部の釘に当たって左側遊技領域２０Ｌに跳ね返えされた遊技球７８でも、誘導路５６に導かれるものまではガイド５０上に落下して右側遊技領域２０Ｒへ案内される。
【００５３】
最後に、開閉扉３４の所定回数開放等によって大当たりが終了すると、通常の遊技状態に戻ったとの信号（大当たり終了信号）が主制御基板からソレノイド駆動制御部７６へ入力される。これにより、ソレノイド５１が再び通電・駆動されて、ガイド５０が元の左下がり傾斜に戻される。
【００５４】
以上説明したように、第１の実施の形態に係るパチンコ遊技機では、遊技盤１０の盤面１２中央上部に設けられたガイド５０がソレノイド５１により駆動されて、大当たりの権利発生前は遊技球７８を左側遊技領域２０Ｌ（盤面左側）へ案内する左下がり傾斜（第１位置）となり、権利発生後は右側遊技領域２０Ｒ（盤面右側）へ案内する右下がり傾斜（第２位置）となる。
【００５５】
そのため、第３種パチンコ遊技機のように、大当たりの権利発生後に右打ちを行う遊技仕様でも、遊技者が手動で右打ちに切り替える又は右打ちを解除することなく、遊技球が遊技領域２０の左右に迅速に振り分けられる。したがって、発生した大当たりの権利を失うことがなくなり、パチンコ遊技機の遊技性が向上する。またこれにより、遊技をスムーズに消化することができる。
【００５６】
また、以上説明したようなガイド５０を盤面１２に設ける際には、このガイド５０を一体的に設けたセンター役物２２を盤面１２に設けるだけでよいため、このガイド５０の組付けが容易になる。
【００５７】
以上、本発明を上述した第１の実施形態により詳細に説明したが、本発明はそれに限定されるものではなく、本発明の範囲内にて他の種々の実施形態が可能である。
【００５８】
例えば、上述した実施の形態では、球振分機構４８をセンター役物２２の上部に設けているが、それ以外にも、遊技領域２０の中央に配置される他の電動役物等に取り付けたり、遊技盤１０に直接取り付けることなどができる。また、ガイド５０の形状や大きさ等についても適宜変更可能であり、例えば、形状については、直線状以外に凹状又は凸状に湾曲させるようにしてもよい。ソレノイド５１により駆動されるガイド５０の傾斜動作については、本実施の形態とは逆に、ソレノイド５１の未通電時を左下がり傾斜とし、通電時を右下がり傾斜とすることもできる。
【００５９】
また、ガイド５０を駆動する駆動手段については、ソレノイド５１に換えてステッピングモータ等を用いることができる。ソレノイド５１は、ガイド５０を瞬間的に駆動させる場合に適し、ステッピングモータは、駆動速度や傾斜角度の変更等に対応しやすいため、それらの駆動手段は、遊技仕様等に応じて適宜選択又は組み合わせて用いることができる。
【００６０】
また、本発明は、第３種のパチンコ遊技機の他にも、例えば、第２種の盤面中央に配置される電動役物に左右に個別に開放する独立した羽機構等を設け、その羽機構の左右の開放状態に応じて遊技球を左右に打ち分けて遊技させるなどのように、遊技盤面に設けられた遊技領域の左側及び右側を遊技の進行等に応じて使い分ける遊技仕様を備えた機種であれば適用することができる。
（第２の実施の形態）
以下に、本発明の第２の実施の形態について説明する。なお、上述した本発明の第１の実施の形態と同一構成及び同一作用を有する箇所については、同一符号を付して説明を省略する。
【００６１】
図３には、本発明の第２の実施の形態に係る遊技盤１１０が示されている。第２の実施の形態における遊技盤１１０は、第１の実施の形態で説明したセンター役物２２、球振分機構４８、及び第３種始動口３２に換えて、センター役物１２２、球振分機構１４８、及び連通孔１６２を設けた回転体１６０を含む第３種始動口を遊技領域２０に適用したものである。なお、第２の実施の形態に係るセンター役物１２２は、第１の実施の形態で説明したディスプレイ画面２４を備えている。
【００６２】
センター役物１２２は、遊技領域２０のほぼ中央に配置されている。このセンター役物１２２の上方には球振分機構１４８が配置されており、この球振分機構１４８は、遊技盤１１０の盤面１１２上に配置される上スロープ１５０及び下スロープ１５２と、盤面１１２の右側又は盤面１１２の左側へ遊技球７８を案内するためのガイドである可動片１５４と、遊技盤１１０の裏面側に配置されてこの可動片１５４を駆動するソレノイド１５６とを備えている（図４参照）。
【００６３】
上スロープ１５０及び下スロープ１５２は、センター役物１２２と一体的に設けられている。この上スロープ１５０及び下スロープ１５２は、左右方向が長手方向とされ、盤面奥行き方向（図３の紙面直角方向）が幅方向とされている。上スロープ１５０の上面は左側へ下り傾斜している。この上スロープ１５０の下方には下スロープ１５２が配置されており、下スロープ１５２の上面は右側に下り傾斜している。この下スロープ１５２は右側遊技領域２０Ｒにおいて遊技球７８を一時的に貯留する略Ｕ字状の貯留部１５８を設けている。
【００６４】
図５及び図６に示されるように、上述した下スロープ１５２の左端部と上スロープ１５０の左端部とは離間して配置されており、この下スロープ１５２の左端部と上スロープ１５０の左端部との間には、遊技球７８を左側遊技領域２０Ｌと右側遊技領域２０Ｒとに振り分けるための可動片１５４が配置されている。可動片１５４は、上スロープ１５０及び下スロープ１５２と同様にセンター役物１２２と一体的に設けられている。この可動片１５４は、上スロープ１５０、下スロープ１５２と同様にして、左右方向が長手方向とされ、盤面奥行き方向が幅方向とされている。この可動片１５４の左側端部の下面には、凸状部１８０が形成されている。この凸状部１８０の裏面には、図４に示されるように、遊技盤１１０の裏面側へ突出する支持軸１８２が一体的に設けられている。この支持軸１８２は、センター役物１２２の左上部に形成された孔部（図示省略）に挿入されて軸心が盤面奥行き方向と一致するように配置されている。
【００６５】
これにより、この可動片１５４は、センター役物１２２の左上部において、正面から見て時計方向（矢印Ｒ方向）又は反時計方向（矢印Ｌ方向）へ回動可能とされている。可動片１５４が時計方向へ回動した際は、図５に示されるように、可動片１５４の上面が右側へ下り傾斜して可動片１５４の右側先端部が下スロープ１５２の上面に当接すると共にこの右側先端部が支持軸１８０よりも低い位置とされる。また、可動片１５４が反時計方向方向へ回動した際は、図６に示されるように、可動片１５４の上面が左側へ下り傾斜すると共に可動片１５４の右側先端部が支持軸１８０よりも高い位置とされてこの右側先端部が上スロープ１５０の左側先端部の近傍に位置するようになっている（図４参照）。
【００６６】
また、上スロープ１５０、下スロープ１５２、及び可動片１５４の大きさは、奥行き幅方向寸法が、盤面１１２とパチンコ遊技機本体側に設けられているガラス板（図示省略）との間隔よりも少し小さくされている。
【００６７】
長手方向の寸法については、図示の取り付け状態で、上スロープ１５０の右側先端部は、遊技領域２０Ｒの上部に配置された釘によって風車４０付近に形成される誘導路５７の下方まで延出される長さとされ、左側先端部は、センター役物１２２の左上部まで延出される長さとなっている。
【００６８】
この上スロープ１５０の下方に設けられている下スロープ１５２の長手方向の寸法については、下スロープ１５２の右側先端部は、遊技領域２０Ｒの風車４０の左下付近の部位まで延出される長さとされ、左側先端部は、センター役物１２２の左上部まで延出され、この下スロープ１５２の左側先端部が上スロープ１５０の左側先端部の左下側に離間して配置されている。
【００６９】
以上説明したような上スロープ１５０の左側先端部と、下スロープ１５２の左側先端部との間に配置されている可動片１５４の長手方向の寸法については、可動片１５４の左側先端部は、センター役物１２２の左上部で回転可能に固定されており、右側先端部は、上スロープ１５０の左側先端部の近傍まで延出されている。
【００７０】
図６に示されるように、可動片１５４の右側先端部が上スロープ１５０の左側先端部の近傍に位置している場合、上スロープ１５０は、可動片１５４に遊技球７８を受け渡すようになっている。
【００７１】
これに対して、図５に示されるように、可動片１５４の右側先端部が下スロープ１５２の上面に当接した場合、この下スロープ１５２は、この可動片１５４から遊技球７８を受け継いで第３種始動口と対向した位置の貯留部１５８で一時的に貯留するようになっている。この貯留部１５８と連通孔１６２とが対向した際には、貯留部１５８で貯留されていた遊技球７８は連通孔１６２に案内されるようになっている。また、この遊技球７８が貯留部１５８で貯留されている際には、下スロープ１５２がこの遊技球７８とは異なる遊技球を可動片１５４から受け継ぐと、この下スロープ１５２は、この異なる遊技球に貯留部１５８で貯留されている遊技球７８上を跨がせてこの異なる遊技球を大入賞口３６の上方に案内する。
【００７２】
ここで、図７に示されるように、下スロープ１５２では、貯留部１５８よりも右側の部位と貯留部１５８よりも左側の部位とは、直線状とされて互いに平行となっているが、同一直線上に位置していない。下スロープ１５２の貯留部１５８よりも右側の部位は、下スロープ１５２の貯留部１５８よりも左側の部位と互いに平行な関係を有した状態でこの貯留部１５８よりも左側の部位よりも垂直下方に位置しており、貯留部１５８よりも右側の部位と貯留部１５８よりも左側の部位とで段差を設けている。これにより、遊技球７８が下スロープ１５２の貯留部１５８で貯留されている際、この貯留部１５８よりも左側の部位から移動してきた遊技球を貯留部１５８よりも右側の部位に容易に移すことができる。
【００７３】
以上説明したような球振分機構１４８の可動片１５４を時計方向又は反時計方向に回動させるために、この可動片１５４には、ソレノイド１５６が接続されている（図４参照）。なお、このソレノイド１５６は、遊技盤１１０の裏側から見ると可動片１５４の右側端部に配置されると共にガイド駆動アーム６８に形成された長穴７４に可動片１５４の駆動軸１５５がほぼガタの無い状態で挿入されている点を除いて、上述した第１の実施の形態におけるソレノイド５１と同様であるため、説明を省略する。
【００７４】
また、以上説明したような下スロープ１５２の途中に対応する盤面１１２上には、第３種始動口が設けられている。この第３種始動口は、盤面１１２の奥行き方向を一軸線として回転し、遊技球７８を通過可能とした連通孔１６２がこの軸線方向に沿って設けられた回転体１６０と、連通孔１６２から遊技球７８を受け取る受取部１６４とから成っている。これらの連通孔１６２を設けた回転体１６０と受取部１６４とから成る第３種始動口は、可動片１５４と上スロープ１５０と下スロープ１５２と同様にセンター役物１２２に一体的に設けられている。
【００７５】
この第３種始動口の回転体１６０は、盤面１１２の右側遊技領域２０Ｒに配置されており、盤面奥行き方向を一軸線として正面から見て時計方向に回転するようになっている。回転体１６０が回転すると連通孔１６２もこれに併せて回転し、連通孔１６２が貯留部１５８と対向する位置に来た場合に、貯留部１５８で貯留されていた遊技球７８が連通孔１６２を通過できるようになっている。
【００７６】
図８（図３における８−８線に沿った断面図）に示されるように、この回転体１６０を時計方向に回転させるために、盤面奥行き方向において、回転体１６０に対して盤面１１２と反対側には、回転体１６０の回転駆動源としてのモータ１６８がシャフト１６６を介して連結されている。遊技中では、このモータ１６８を等速回転させることで回転体１６０が一定の回転速度で回転する。
【００７７】
また、盤面奥行き方向において、盤面１１２及び回転体１６０に対して下スロープ１５２の貯留部１５８と反対側には、回転体１６０の連通孔１６２を通過した遊技球７８を受け取るパイプ状の受取部１６４が配置されている。すなわち、回転体１６０の連通孔１６２が下スロープ１５２の貯留部１５８と対向すると、この貯留部１５８と連通孔１６２と受取部１６４とが連通し、貯留部１５８で貯留されていた遊技球７８が連通孔１６２を介して受取部１６４に案内されるようになっている。
【００７８】
さらにこの受取部１６４には、受取部１６４の内部を通過する遊技球７８を検出するためのスイッチ１７０が取り付けられており、このスイッチ１７０が遊技球７８を検出すると、大入賞口３６が所定時間（例えば１０秒間）だけ開口するようになっている。大入賞口３６が開口する所定時間は、回転体１６０がモータ１６８によって回転する周期と同じとされている。すなわち、回転体１６０の連通孔１６２に遊技球７８が入賞して大入賞口３６が開口し、この大入賞口３６が開口している間に回転体１６０が回転し続けて、大入賞口３６が閉口したときに回転体１６０の連通孔１６２が下スロープ１５２の貯留部１５８と再び対向するようになっている。大入賞口３６が閉口した際にこの貯留部１５８に遊技球７８が貯留されていれば、この貯留されていた遊技球７８が回転体１６０の連通孔１６２に入賞して再び大入賞口３６が開口することになる。これにより、下スロープ１５２の貯留部１５８に遊技球７８が貯留されていれば、大入賞口３６が閉口してから開口するまでの時間が短縮され、遊技をスムーズに消化することができる。
【００７９】
また、図３に示されるように、球振分機構１４８の盤面１１２左下側には、遊技球７８を移送するワープ路１７２がセンター役物１２２の左側から下側まで亘る部位をほぼ取り巻くようにして配置されている。このワープ路１７２は、所謂パイプ状の移送路となっており、センター役物１２２の左側で遊技球７８を挿入可能とする挿入口１７４を備えると共にワープ路１７２内を通過した遊技球７８をスタートスイッチ２６の上方で排出するための排出口１７６を備えている。すなわち、ワープ路１７２の挿入口１７４から挿入した遊技球７８は、排出口１７６から排出されて確実にスタートスイッチ２６に入賞するようになっている。
【００８０】
次に、第２の実施の形態の作用について説明する。
【００８１】
まず、第２実施の形態の第３種パチンコ遊技機の遊技仕様について説明する。パチンコ遊技機本体に設けられた図示しない打球発射装置から遊技球７８が上方へ発射されると、遊技球７８は外バンド１４に沿って遊技領域２０に打ち込まれる。遊技球７８が、センター役物１２２の下方に配置されたスタートスイッチ２６へ入賞すると、センター役物１２２のディスプレイ画面２４に図柄抽選のアニメーション等が表示される。この抽選で、「７７７」等の所定の図柄が揃うと、普通電動役物３０が所定秒数開放する（図３の二点鎖線位置）。この普通電動役物３０の開放中に遊技球７８がポケット２８を通過すると、「大当たりの権利」が発生する。
【００８２】
大当たりの権利が発生するとセンター役物１２２の左上部に設けられた可動片１５４が時計方向に回動し（図３の二点鎖線位置）、この可動片１５４の右側先端部が下スロープ１５２の上面に当接する。これにより、上スロープ１５０の左側先端部と下スロープ１５２の左側先端部との間の領域が開放され、連通孔１６２を含む第３種始動口への遊技球７８の入賞が可能な状態になる。
【００８３】
さらに、大当たりの権利発生後にこの第３種始動口へ入賞させると、「大当たり」となって大入賞口３６が開放する。これにより、大入賞口３６への入賞球数に応じた所定数の賞球が払い出される。また、抽選図柄の成立条件によっては、ゲーム終了後に図柄確率がアップし次回の大当たりが発生しやすい状態になる。
【００８４】
このような遊技仕様において、本実施の形態の球振分機構１４８は、大当たりの権利が発生する前の通常の遊技時は、主制御基板から、通常遊技状態（大当たりの権利発生前）であるとの信号がソレノイド駆動制御部７６へ入力される。この信号を受けて、ソレノイド駆動制御部７６はソレノイド１５６へ電力を供給する。これにより、ソレノイド１５６が通電・駆動されて（図４（Ａ））、可動片１５４は左下がり傾斜となる（図６の１５４位置）。
【００８５】
したがって、遊技領域２０の上部中央（天釘４６付近）に打ち込まれた遊技球７８が上スロープ１５０の上に落下すると、その遊技球７８は上スロープ１５０から可動片１５４へ受け渡され、傾斜側に転動して左側遊技領域２０Ｌへ案内される。また、遊技領域２０の上部の釘に当たって右側遊技領域２０Ｒに跳ね返えされた遊技球７８でも、誘導路５７に導かれるものまでは上スロープ１５０の上に落下して上スロープ１５０の上を傾斜側に転動して可動片１５４に受け渡され、左側遊技領域２０Ｌへ案内される。なお、可動片１５４からワープ路１７２へ遊技球７８が受け継がれると、この遊技球７８はスタートスイッチ２６の上方に案内される。これにより、遊技球７８がスタートスイッチ２６へ入賞する確率が高くなり、パチンコ遊技機の遊技性がより一層向上する。
【００８６】
また、上述した遊技仕様により、大当たりの権利が発生した場合は、主制御基板から、大当たりの権利が発生したとされる信号がソレノイド駆動制御部７６へ入力される。この信号を受けて、ソレノイド駆動制御部７６はソレノイド１５６への電力供給を停止する。これにより、ソレノイド１５６が未通電となって駆動解除され（図４（Ｂ））、可動片１５４は右下がり傾斜となる（図５の１５４位置）。さらに、その後の遊技進行により、第３種始動口への入賞による大当たりとなった場合も、大当たりが終了するまではソレノイド１５６の駆動解除状態が継続されて、可動片１５４は右下がり傾斜に維持される。
【００８７】
したがって、大当たりの権利発生後から大当たり終了までの間は、遊技領域２０の上部中央に打ち込まれた遊技球７８が上スロープ１５０に落下すると、その遊技球７８は上スロープ１５０の上を傾斜側に転動して左側遊技領域２０Ｌへ案内される。さらに、上スロープ１５０の上を傾斜側に転動した遊技球７８は、可動片１５４によって下スロープ１５２へ受け継がれて右側遊技領域２０Ｒへ案内される。また、遊技領域２０の上部の釘に当たって左側遊技領域２０Ｌに跳ね返えされた遊技球７８でも、誘導路５８に導かれるものまでは上スロープ１５０又は可動片１５４の上に落下し、後に下スロープ１５２へ案内される。
【００８８】
最後に、開閉扉３４の開放等によって大当たりが終了すると、通常の遊技状態に戻ったとの信号（大当たり終了信号）が主制御基板からソレノイド駆動制御部７６へ入力される。これにより、ソレノイド１５６が再び通電・駆動されて、可動片１５４が元の左下がり傾斜に戻される。
【００８９】
以下、大当たりの権利が発生した後における下スロープ１５２について詳細に説明する。
【００９０】
これにより、遊技球７８は盤面１１２の左側にさらに案内される。可動片１５４の右側先端部が下スロープ１５２の上面に当接した場合には、可動片１５４に誘導された遊技球７８をこの可動片１５４から受け継いで盤面１１２の右側にさらに案内する。
【００９１】
下スロープ１５２の途中では、貯留部１５８により遊技球７８は第３種始動口に含まれる連通孔１６２と対向した位置で貯留される。盤面奥行き方向において、回転体１６０に設けられた連通孔１６２が連通孔１６２と対向した位置に来ると、この遊技球７８は回転体１６０の連通孔１６２を通過して第３種始動口入賞とされる。ここで、遊技球７８が第３種始動口に入賞してから回転体１６０の連通孔１６２が再びこの貯留部１５８と対抗する位置に来るまでに遊技球７８が貯留部１５８に貯留されていれば、第３種始動口に遊技球７８が入賞してから再び入賞するまでの時間に損失なく、かつ連続して第３種始動口に入賞させることができ、これに伴って大入賞口３６が開放される。これにより、遊技に対する期待感を遊技者により一層強く与えることができる。
【００９２】
図８に示されるように、連通孔１５８に案内された遊技球７８は、さらに受取部１６４に案内されてこの受取部１６４に取り付けられたスイッチ１７０によって検出され、第３種始動口に入賞したとされる。その後、大入賞口３４が所定時間開放される。
【００９３】
一方、貯留部１５８で遊技球７８が貯留されている際に、可動片１５４からスロープ１５２にこの貯留されている遊技球７８とは異なる遊技球が受け継がれると、図３及び図５に示されるように、この異なる遊技球は貯留部１５８で貯留されている遊技球７８上を跨ぐようにしてパチンコ盤面１１２の右側に設けられた大入賞口３４の上方へ案内される。
【００９４】
以上説明したように、第２の実施の形態に係るパチンコ遊技機では、遊技盤１１０の盤面１１２中央上部に設けられた可動片１５４がソレノイド１５６により駆動されて、大当たりの権利発生前は遊技球７８を左側遊技領域２０Ｌ（盤面左側）へ案内する左下がり傾斜（第１位置）となり、権利発生後は右側遊技領域２０Ｒ（盤面右側）へ案内する右下がり傾斜（第２位置）となる。
【００９５】
そのため、第３種パチンコ遊技機のように、大当たりの権利発生後に右打ちを行う遊技仕様でも、遊技者が手動で右打ちに切り替える又は右打ちを解除することなく、遊技球が遊技領域２０の左右に迅速に振り分けられる。したがって、発生した大当たりの権利を失うことがなくなり、パチンコ遊技機の遊技性が向上する。またこれにより、遊技をスムーズに消化することができる。さらに、遊技球が盤面１１２の右側に振り分けられている際においても、下スロープ１５２によって回転体１６０の連通孔１６２又は大入賞口３４の上方に遊技球を案内するように遊技球が振り分けられるので、盤面１１２右側で行われる特定遊技等を確実に獲得することができると共に発生した大当たりの権利を失うことがなくなる。したがって、パチンコ遊技機の遊技性がより一層向上する。
【００９６】
また、以上説明したような可動片１５４と上スロープ１５０と下スロープ１５２と第３種始動口とを盤面１１２に設ける際には、これらの可動片１５４と上スロープ１５０と下スロープ１５２と第３種始動口とを一体的に設けたセンター役物１２２を盤面１１２に設けるだけでよいため、これらの可動片１５４と上スロープ１５０と下スロープ１５２と第３種始動口との組付けが容易になると共に、従来において第３種始動口を設けていた部位が有効活用できるようになることから、盤面１１２の限られた遊技領域において、例えば従来より大きいセンター役物を配置することができる。
【００９７】
なお、本発明の第２の実施の形態に係る遊技盤１１０では、下スロープ１５２に貯留部１５８が設けられたものとしたが、本発明はこれに限らず、下スロープ１５２に貯留部１５８を設けていないものとしてもよい。この場合には、下スロープ１５２が遊技球７８を誘導している際に、この遊技球７８が下スロープ１５２の途中で回転体１６０の連通孔１６２を通過すると、受取部１６４がこの連通孔１６２から遊技球７８を受け取り、第３種始動口入賞とされる。ここで、この連通孔７８は回転体１６０に設けられているので、盤面１１２の奥行き方向を一軸線として回転する。このため、下スロープ１５２が遊技球７８を誘導するタイミングによって遊技球７８がこの連通孔１６２を通過するか否かが決定される。これにより、遊技球７８が下スロープ１５２によって誘導されている際に第３種始動口入賞となって大入賞口３６を開放できるか否かという遊技状態を演出することができ、遊技に対する期待感を遊技者に強く与えることができる。
【００９８】
以上、本発明を上述した第２の実施形態により詳細に説明したが、本発明はそれに限定されるものではなく、本発明の範囲内にて他の種々の実施形態が可能である。
【００９９】
例えば、上述した実施の形態では、球振分機構１４８をセンター役物２２の上部に設けているが、それ以外にも、遊技領域２０の中央に配置される他の電動役物等に取り付けたり、遊技盤１１０に直接取り付けることなどができる。また、可動片１５４の形状や大きさ等についても適宜変更可能であり、例えば、形状については、直線状以外に凹状又は凸状に湾曲させるようにしてもよい。ソレノイド１５６により駆動される可動片１５４の傾斜動作については、本実施の形態とは逆に、ソレノイド１５６の未通電時を左下がり傾斜とし、通電時を右下がり傾斜とすることもできる。
【０１００】
また、可動片１５４を駆動する駆動手段については、ソレノイド１５６に換えてステッピングモータ等を用いることができる。ソレノイド１５６は、可動片１５４を瞬間的に駆動させる場合に適し、ステッピングモータは、駆動速度や傾斜角度の変更等に対応しやすいため、それらの駆動手段は、遊技仕様等に応じて適宜選択又は組み合わせて用いることができる。
【０１０１】
さらに、第３種始動口については、回転体を有しないものであってもよく、回転体１６０を有するものに換えて、例えば開閉扉を有するものであってもよい。
【０１０２】
また、本発明は、第３種のパチンコ遊技機の他にも、例えば、第２種の盤面中央に配置される電動役物に左右に個別に開放する独立した羽機構等を設け、その羽機構の左右の開放状態に応じて遊技球を左右に打ち分けて遊技させるなどのように、遊技盤面に設けられた遊技領域の左側及び右側を遊技の進行等に応じて使い分ける遊技仕様を備えた機種であれば適用することができる。
【０１０３】
【発明の効果】
本発明のパチンコ遊技機は上記構成としたので、遊技の進行等に応じて遊技領域の左側及び右側を使い分ける際の遊技球の振り分けが迅速に行われて、遊技性が向上する。
【図面の簡単な説明】
【図１】本発明の第１の実施形態に係る遊技盤を示した正面図である。
【図２】本発明の第１の実施形態に係る球振分機構を示した背面図であり、（Ａ）はガイドが遊技球を盤面左側へ案内する位置にされた状態であり、（Ｂ）はガイドが遊技球を盤面右側へ案内する位置にされた状態である。
【図３】本発明の第２の実施形態に係る遊技盤を示した正面図である。
【図４】本発明の第２の実施の形態に係る球振分機構を示した背面図であり、（Ａ）は可動片が遊技球を盤面左側に案内する位置にされた状態であり、（Ｂ）は可動片が遊技球を盤面右側に案内する位置にされた状態である。
【図５】本発明の第２の実施の形態に係るセンター役物の正面図であり、球振分機構の可動片が遊技球を盤面右側に案内する位置にされた状態を示す図である。
【図６】本発明の第２の実施の形態に係るセンター役物の正面図であり、球振分機構の可動片が遊技球を盤面左側に案内する位置にされた状態を示す図である。
【図７】本発明の第２の実施の形態に係るスロープに設けられた貯留部の拡大正面図である。
【図８】本発明の第２の実施の形態に係るスロープに設けられた貯留部の近傍における側断面図であって、図３の８−８線に沿った側断面図である。
【符号の説明】
１０　　　　遊技盤
２０　　　　遊技領域
２０Ｌ　　　左側遊技領域（盤面左側）
２０Ｒ　　　右側遊技領域（盤面右側）
２２　　　　センター役物
２４　　　　ディスプレイ画面（図柄表示装置）
２６　　　　スタートスイッチ
３４　　　　大入賞口
４８　　　　球振分機構
５０　　　　ガイド
５１　　　　ソレノイド（駆動手段）
６８　　　　ガイド駆動アーム（駆動手段）
１１０　　　遊技盤
１２２　　　センター役物
１４８　　　球振分機構
１５０　　　上スロープ
１５２　　　下スロープ
１５４　　　可動片（ガイド）
１５６　　　ソレノイド（駆動手段）
１５８　　　貯留部
１６０　　　回転体
１６２　　　連通孔（孔）
１６４　　　受取部
１７２　　　ワープ路
【図１】
2004121805.tif 000003
【図２】
2004121805.tif 000004
【図３】
2004121805.tif 000005
【図４】
2004121805.tif 000006
【図５】
2004121805.tif 000007
【図６】
2004121805.tif 000008
【図７】
2004121805.tif 000009
【図８】
2004121805.tif 000010